(57)【要約】【課題】高い精度で組み立てられた複層パネルまたは該複層パネルを備える電子機器、および、それらの製造方法を提供すること。また、使用感が向上した該複層パネルを備える電子機器を提供すること。【解決手段】電子機器は、少なくとも１つの面を有する半透明なソーラーパネルと、少なくとも１つの面を有するディスプレイと、が重ね合わせられた複層パネルと、コントローラとを備える。ソーラーパネルは、ソーラーパネルの１つの面の少なくとも一部から、ディスプレイが視認可能な透明部位を備える。コントローラは、ディスプレイを発光させる場合に、ディスプレイの、透明部位と重なり合う第１領域を、当該第１領域の周辺であって透明部位と重なり合わない第２領域よりも低い輝度または明度で発光させる。【選択図】図７
2019028219.tif 000002
【特許請求の範囲】
【請求項１】
少なくとも１つの面を有する半透明なソーラーパネルと、少なくとも１つの面を有するディスプレイと、が重ね合わせられた複層パネルと、
コントローラと、
を備え、
前記ソーラーパネルは、前記ソーラーパネルの前記１つの面の少なくとも一部から、前記ディスプレイを視認可能な透明部位を備え、
前記コントローラは、前記ディスプレイを発光させる場合に、前記ディスプレイの、前記透明部位と重なり合う第１領域を、当該第１領域の周辺であって前記透明部位と重なり合わない第２領域よりも低い輝度または明度で発光させる、
電子機器。
【請求項２】
前記コントローラは、前記第２領域の発光色が時間とともに変化する場合、当該変化に合わせて前記第１領域の発光の輝度または明度を制御する、請求項１に記載の電子機器。
【請求項３】
前記コントローラは、前記第２領域内の領域を、複数領域に分けて複数色で発光させる場合には、前記第１領域を、当該複数色のうちの少なくとも２つの色の合成色で発光させる、請求項１または２に記載の電子機器。
【請求項４】
前記第２領域は、第３領域と第４領域とを含み、
前記コントローラは、
前記第３領域よりも前記第４領域の近くに位置する、前記第１領域の少なくとも１つの第１画素を、前記第３領域よりも前記第４領域の発光色に近い第１合成色で発光させ、
前記第４領域よりも前記第３領域の近くに位置する、前記第１領域の少なくとも１つの第２画素を、前記第４領域よりも前記第３領域の発光色に近い第２合成色で発光させ、
前記第１画素と前記第２画素との間に位置する画素を、前記第１合成色と前記第２合成色との中間かつ段階的に変化する色で発光させる、
請求項３に記載の電子機器。
【請求項５】
少なくとも１つの面を有する半透明なソーラーパネルと、少なくとも１つの面を有するディスプレイと、を備える複層パネル、または当該複層パネルを備える電子機器の製造方法であって、
前記ソーラーパネルは、前記ソーラーパネルの前記１つの面の少なくとも一部から、前記ディスプレイが視認可能な透明部位を備え、
前記ソーラーパネルの前記透明部位と、前記ディスプレイの前記少なくとも１つの面の特定の部位との位置を合わせるように前記ソーラーパネルと前記ディスプレイとを重ね合わせるステップを含む製造方法。
【発明の詳細な説明】
【技術分野】
【０００１】
本開示は、複層パネルおよび該複層パネルを備える電子機器に関する。
【背景技術】
【０００２】
従来、太陽電池セルを備えた電子機器が知られている。例えば、特許文献１には、透過性を有する太陽電池セルと、透過性を有する保護部材と、ＤＣ／ＤＣ回路とから構成される太陽電池モジュールとＬＣＤ（液晶ディスプレイ、Ｌｉｑｕｉｄ  Ｃｒｙｓｔａｌ  Ｄｉｓｐｌａｙ）とを備えた電子機器が開示されている。
【先行技術文献】
【特許文献】
【０００３】
【特許文献１】特開２０１１−７１９４７号公報
【発明の概要】
【発明が解決しようとする課題】
【０００４】
高い精度で組み立てられた複層パネルまたは該複層パネルを備える電子機器、およびそれらの製造方法が必要とされている。該複層パネルを備える電子機器においては、使用感の向上が望まれる。
【課題を解決するための手段】
【０００５】
１つの態様に係る電子機器は、少なくとも１つの面を有する半透明なソーラーパネルと、少なくとも１つの面を有するディスプレイと、が重ね合わせられた複層パネルと、コントローラとを備える。ソーラーパネルは、ソーラーパネルの１つの面の少なくとも一部から、ディスプレイが視認可能な透明部位を備える。コントローラは、ディスプレイを発光させる場合に、ディスプレイの、透明部位と重なり合う第１領域を、当該第１領域の周辺であって透明部位と重なり合わない第２領域よりも低い輝度または明度で発光させる。
【０００６】
１つの態様に係る製造方法は、少なくとも１つの面を有する半透明なソーラーパネルと、少なくとも１つの面を有するディスプレイと、を備える複層パネル、または当該複層パネルを備える電子機器の製造方法である。ソーラーパネルは、ソーラーパネルの１つの面の少なくとも一部から、ディスプレイが視認可能な透明部位を備える。当該製造方法は、ソーラーパネルの透明部位と、ディスプレイの少なくとも１つの面の特定の部位との位置を合わせるようにソーラーパネルとディスプレイとを重ね合わせるステップを含む。
【発明の効果】
【０００７】
高い精度で組み立てられた複層パネルまたは該複層パネルを備える電子機器、および、それらの製造方法を提供することができる。また、使用感が向上した該複層パネルを備える電子機器を提供することができる。
【図面の簡単な説明】
【０００８】
【図１】一実施形態に係るソーラーパネルの平面図である。
【図２】一実施形態に係るソーラーパネルの断面図である
【図３Ａ】その他の実施形態に係るソーラーパネルの断面図である。
【図３Ｂ】その他の実施形態に係るソーラーパネルの断面図である。
【図３Ｃ】その他の実施形態に係るソーラーパネルの断面図である。
【図４】一実施形態に係る複層パネルを分解して示す斜視図である。
【図５】一実施形態に係る複層パネルの斜視図である。
【図６】一実施形態に係る複層パネルの平面図である。
【図７】一実施形態に係る電子機器の外観を示す平面図である。
【図８】一実施形態に係る電子機器の構造を説明するための斜視図である。
【図９】一実施形態に係る電子機器の機能構成を示すブロック図である。
【図１０】その他の実施形態に係る電子機器の外観を示す図である。
【図１１】透明部位を含む複層パネルの特定部位に表示される画像の第１の例を示す図である。
【図１２】画素ごとの区切りを表示した、透明部位を含む複層パネルの特定部位を示す図である。
【図１３】透明部位を含む複層パネルの特定部位に表示される画像の第２の例を示す図である。
【図１４】画素ごとの区切りを非表示にした、透明部位を含む複層パネルの特定部位に表示される画像の第２の例を示す図である。
【図１５】図１３の拡大図である。
【発明を実施するための形態】
【０００９】
本開示に係る実施形態について、図面を参照しつつ詳細に説明する。以下の実施の形態によって本開示が限定されるものではない。また、以下の説明における構成要素には、当業者が容易に想定できるものおよび実質的に同一のものなど、いわゆる均等の範囲のものが含まれる。なお、図面の説明については同一要素には同一符号を付し、重複する説明を省略することがある。
【００１０】
図１を参照して、本開示の一実施形態に係るソーラーパネル１１の形状について説明する。図１は、一実施形態に係る電子機器１が備えるソーラーパネル１１の平面図である。ソーラーパネルは、ソーラーモジュールまたは太陽電池モジュールともいう。
【００１１】
ソーラーパネル１１は、少なくとも１つのソーラーセル１１ａと、保護部材１１ｂとを含む。ソーラーセルは、太陽電池セルともいう。ソーラーパネル１１には、光を集光するためのレンズや、入射光の進行方向を制御するためのスリットなどが含まれてもよい。
【００１２】
ソーラーセル１１ａは、起電力効果によって光エネルギーを電気エネルギーに変換することで発電する。ソーラーセル１１ａは、電圧を増加させるために複数のセルが直列に組まれ、ユニットとして使用されてよい。ソーラーセル１１ａは、電流量を増加させるために、複数の直列のユニットが並列に組まれて使用されてもよい。並列に組まれたユニットは、ソーラーアレイとも呼ばれる。
【００１３】
保護部材１１ｂは、ソーラーセル１１ａを保護または固定する。保護部材１１ｂはシート型の形状であってよい。保護部材１１ｂは透明な材料で構成されてよい。保護部材１１ｂは、例えばガラス、アクリル、プラスチックのフィルム等で構成されてよい。
【００１４】
図１のソーラーパネル１１において、ソーラーセル１１ａは保護部材１１ｂと重なるように設けられている。ソーラーセル１１ａを含むソーラーパネル１１は、半透明なパネルである。半透明なソーラーパネル１１において、複数のソーラーセル１１ａは、間隔を有して並べられてもよい。また、ソーラーパネル１１に含まれるソーラーセル１１ａが、可視光を透過させる透過性を有してもよい。言い換えると、ソーラーセル１１ａ自体が半透明であってよい。半透明とは、不透明でなければよい。言い換えると、半透明とは、可視光の透過率が０％よりも大きければ、どのような透過率であってもよい。本開示において、半透明なソーラーパネル１１とは、人または所定の装置が、半透明なソーラーパネル１１を通して、該半透明なソーラーパネル１１の奥に存在する物体を少なくとも認識は可能なパネルである。一実施形態において、半透明なソーラーパネル１１の可視光の透過率は、５０から７０％程度であってよいが、これに限定されない。
【００１５】
ソーラーパネル１１は、少なくとも１つの透明部位１００を有する。透明部位１００は、任意の形状であってよい。透明部位１００は、例えば、四角形、三角形、円形といった形状であってよい。透明部位１００は、ソーラーパネル１１上に複数設けられてもよい。ソーラーパネル１１が図１に示すように四角形状である場合、透明部位１００は、四辺の周辺または頂点の周辺に設けられてよい。一般的に、所定の面において、端に近い部分は、中心に近い部分に比べて目立ちにくい部分といえる。
【００１６】
一実施形態において、透明部位１００は、ソーラーパネル１１の透明部位１００以外の部位よりも高い可視光の透過性を有するか、または内部に吸収された可視光が散乱しにくい材料で構成されてよい。言い換えると、透明部位１００は、ソーラーパネル１１の半透明な部分よりも高い可視光の透過性を有するか、または内部に吸収された可視光が散乱しにくい材料で構成されてよい。また、一実施形態において、透明部位１００は、高い可視光の透過性を有する透明な材料で構成されてよい。また、一実施形態において、透明部位１００は、その空間に、物体が存在しなくてもよい。すなわち、透明部位１００は、空洞であってもよい。透明部位１００は、人が、該透明部位１００を通して、該透明部位１００の奥に存在する物体を、ソーラーパネル１１の透明部位１００以外の部位を通して認識するよりも明確に認識可能なように構成される。一実施形態において、透明部位１００の光の透過率は、８０％から９０数％程度であってよいが、これに限定されない。
【００１７】
図１に示すように、ソーラーパネル１１は、少なくとも１つの面を有する。
【００１８】
図２を参照して、本開示の一実施形態に係るソーラーパネル１１の断面構成について説明する。図２は、図１のii−ii線に対応するソーラーパネル１１の断面図である。
【００１９】
図１および図２からわかるように、一実施形態において、ソーラーパネル１１は、複数の平面を有してよい。また、一実施形態において、ソーラーパネル１１は、シート形状であってよい。本開示において、シート形状とは、所定の厚さの板状のことをいう。
【００２０】
図３Ａ−Ｃを参照して、その他の実施形態に係るソーラーパネル１１の形状について説明する。図３Ａ−Ｃは、図２と同様に、図１のii−ii線に対応するソーラーパネル１１の断面図である。
【００２１】
図３Ａに示すように、ソーラーパネル１１は、角が丸みを帯びており、全体として１つの面から構成されていてもよい。このように構成される場合に、ソーラーパネル１１は、平らな部分を有してよい。また、このように構成される場合に、ソーラーパネル１１は、曲面のみを有してもよい。
【００２２】
図３Ｂに示すように、ソーラーパネル１１は、少なくとも２つの面を有し、第１の面が平面であり、第２の面が曲面で構成されてもよい。
【００２３】
図３Ｃに示すように、ソーラーパネル１１は少なくとも２つの曲面から構成されてもよい。
【００２４】
ソーラーパネル１１の形状は、図２および図３で開示した構成に限定されない。例えばソーラーパネル１１は、折り曲げられるものを含む。折り曲げ可能なソーラーパネル１１には、例えば、保護部材１１ｂとしてプラスチックフィルムなどが用いられる。図２および図３で説明したソーラーパネル１１の構成は、適宜組合せて利用されてよい。
【００２５】
図４、図５、図６を参照して、ソーラーパネル１１とディスプレイ１２とが重ね合わせられた複層パネル１０について説明する。図４は、ソーラーパネル１１とディスプレイ１２とが重ね合わせられた複層パネル１０を分解して示す斜視図である。
【００２６】
なお、ソーラーパネル１１とディスプレイ１２とを重ね合わせることは、ディスプレイ１２にソーラーパネル１１を接着して貼り合わせることを含む。図４の点線は、ディスプレイ１２の所定の点と、当該所定の点と重なり合うソーラーパネル１１の所定の点とをつなぐ線である。
【００２７】
ディスプレイ１２は、後述する電子機器１などから出力を行う出力手段の１つである。ディスプレイ１２は、文字、写真、記号、図形等の画像を表示する。ディスプレイ１２に表示される画像は、複数の画素から構成されてよい。ディスプレイ１２には、例えば液晶ディスプレイ、有機ＥＬ（Ｅｌｅｃｔｒｏ  Ｌｕｍｉｎｅｓｃｅｎｃｅ）ディスプレイが用いられる。液晶ディスプレイは、バックライトを有してもよい。バックライトには、例えばＬＥＤ（Ｌｉｇｈｔ  Ｅｍｉｔｔｉｎｇ  Ｄｉｏｄｅ）などの発光素子が用いられてよい。また、ディスプレイ１２は、表面に配置されたＬＥＤ素子が１画素を構成し、画素ごとに駆動する自発光ディスプレイであってもよい。
【００２８】
図４に示すように、ディスプレイ１２は、少なくとも１つの面を有する。具体的に、図４では、ディスプレイ１２は、シート型の形状をしている。なお、ディスプレイ１２はこれに限定されず、例えば、折り曲げられるものなどを含む。
【００２９】
ソーラーパネル１１は、図４における上面に、第１面を有する。同様に、ディスプレイ１２は、図４における上面に、第１面を有する。
【００３０】
複層パネル１０は、少なくとも１つの面を有する半透明なソーラーパネル１１と、少なくとも１つの面を有するディスプレイ１２とが、直接または所定のパネルを間に介在させて重ね合わせられて構成される。ソーラーパネル１１とディスプレイ１２とを重ね合わせることは、ソーラーパネル１１とディスプレイ１２とを、それぞれの第１面に対して垂直に重ね合わせることであってよい。言い換えると、ソーラーパネル１１とディスプレイ１２とを重ね合わせることとは、ソーラーパネル１１とディスプレイ１２とを、それぞれのパネルの厚み方向に重ね合わせることであってよい。ソーラーパネル１１および図４における複層パネル１０は、少なくともソーラーパネル１１とディスプレイ１２とを含む。複層パネル１０には、ソーラーパネル１１およびディスプレイ１２とは異なる別の透明なパネルが含まれてもよい。例えば、複層パネル１０には、後述するタッチセンサ２２などが含まれてもよい。なお、ソーラーパネル１１とディスプレイ１２との間に別の透明なパネルが介在してもよい。
【００３１】
透明部位１００は、ディスプレイ１２が重ね合わせられた場合に、ディスプレイ１２が存在しない側から、当該透明部位１００を介してディスプレイ１２を視認可能なように構成される。より具体的には、透明部位１００は、ソーラーパネル１１の第１面と垂直な方向から見てディスプレイ１２が視認可能であってよい。透明部位１００がこのように構成されることで、あらかじめ決められたようにソーラーパネル１１とディスプレイ１２とを重ね合わせるための位置合わせが行われる際、当該工程を行う作業者は、透明部位１００を通してディスプレイ１２の一部を明確に視認することができる。または、当該工程を実行する装置は、透明部位１００を通してディスプレイ１２の一部を明確に認識することができる。
【００３２】
より具体的には、図４に示すように、複層パネル１０は、シート状のソーラーパネル１１の１つの面とシート状のディスプレイ１２の１つの面とが重なり合って構成されてよい。
【００３３】
一実施形態において、ソーラーパネル１１とディスプレイ１２とは、同一形状をしていてもよい。また、一実施形態において、ソーラーパネル１１とディスプレイ１２とは、異なる形状をしていてもよい。一実施形態において、ソーラーパネル１１とディスプレイ１２とは、全ての部分が重なり合ってもよい。また、一実施形態において、ソーラーパネル１１とディスプレイ１２とは、一部が重なり合ってもよい。ソーラーパネル１１とディスプレイ１２とが一部重なり合う場合、ディスプレイ１２の面の中心点とソーラーパネル１１の面の中心点が重なり合ってよい。
【００３４】
図３でも説明したように、ソーラーパネル１１およびディスプレイ１２の形状は平面を有するシート形状に限られない。ソーラーパネル１１およびディスプレイ１２は、曲面を有してもよい。ソーラーパネル１１およびディスプレイ１２が曲面を有し、当該曲面同士が重ね合わせられる場合、ソーラーパネル１１の曲面とディスプレイ１２の曲面とは、同じ曲率であってよい。
【００３５】
ディスプレイ１２は、特定の部位として、位置合わせがなされる際に目印として用いられるマーク２００を有してよい。マーク２００は、ディスプレイ１２の面上に複数あってよい。図５において、マーク２００は、透明部位１００の面と同一の四角形状をしている。マーク２００は、例えば、四角形、三角形、円形といった任意の形状であってよい。
【００３６】
透明部位１００とマーク２００とは、位置合わせがなされた上でソーラーパネル１１とディスプレイ１２とが重ね合わせられた際に、ソーラーパネル１１全体とディスプレイ１２全体とがあらかじめ決められたように重ね合うように構成される。本開示において、位置合わせとは、ソーラーパネル１１とディスプレイ１２とを重ね合わせる前に、ソーラーパネル１１面上の所定の点およびディスプレイ１２の面上の所定の点をそれぞれ重ね合わせられる点として認識することを含む。
【００３７】
図４において、マーク２００は、透明部位１００の面と同一の四角形状をしているため、透明部位１００の輪郭とマーク２００の輪郭とを重ね合わせるように位置合わせが行われると、ディスプレイ１２全体とソーラーパネル１１全体とがあらかじめ決められたように重なり合う。
【００３８】
なお、マーク２００は、ディスプレイ１２に加工や色付けなどを施すことによってディスプレイ１２に追加されたものに限られない。マーク２００は、ディスプレイ１２が有する少なくとも１つの画素など、ディスプレイ１２の一部であってもよい。
【００３９】
一実施形態において、位置合わせは、透明部位１００とマーク２００とが、ソーラーパネル１１とディスプレイ１２とを重ね合わせる際に、透明部位１００とマーク２００の少なくとも一部とが重なり合うようになされてもよい。具体的には、例えばマーク２００としてディスプレイ１２上の所定位置にある画素を利用する場合、透明部位１００と重なり合うディスプレイ１２に当該画素が全て含まれるようにして位置合わせがなされてよい。また、一実施形態において、位置合わせは、透明部位１００からマーク２００までの方向および距離が計測され、当該方向および距離があらかじめ決められた値から所定の範囲内か否かで是非が判定されてもよい。当該実施形態においては、ソーラーパネル１１とディスプレイ１２とが重なり合う際に、透明部位１００とマーク２００とは重なり合わなくてもよい。
【００４０】
以上述べたように、複層パネル１０または当該複層パネル１０を備える電子機器の製造方法として、まず、マーク２００は、透明部位１００を通して、作業者に明確に視認されるかまたは所定の装置に明確に認識される。このように、マーク２００が明確に視認または認識されるために、透明部位１００とマーク２００との位置を正確に合わせることができ、結果として、ソーラーパネル１１とディスプレイ１２とを高い精度で重ね合わせることができる。
【００４１】
図５は、ソーラーパネル１１とディスプレイ１２とが重ね合わせられたパネルの斜視図である。
【００４２】
図５において、ソーラーパネル１１とディスプレイ１２とは、透明部位１００の位置（透明部位１００の各辺）とマーク２００の位置（マーク２００の各辺）とが合うように重なりあっておる。その結果として、同一形状のソーラーパネル１１とディスプレイ１２とは、全体が重なり合っている。
【００４３】
図６は、複層パネル１０の平面図である。
【００４４】
複層透明部位３００は、ソーラーパネル１１の透明部位１００と、透明部位１００と重なり合うディスプレイ１２とを含む部位である。図６の平面図において、複層パネル１０の複層透明部位３００の大きさ、形状、および位置は、ソーラーパネル１１の透明部位１００の大きさ、形状、および位置と重複している。
【００４５】
周辺部位４００は、透明部位１００の周辺のソーラーパネル１１と、透明部位１００のソーラーパネル１１と重なり合うディスプレイ１２とを含む部位である。
【００４６】
特定部位５００は、複層透明部位３００と周辺部位４００とを含む、複層パネル１０の一部分である。特定部位５００は任意の大きさでよい。
【００４７】
図７、図８、図９を参照して、本開示の一実施形態に係る電子機器１の構成について説明する。
【００４８】
以下に説明する本開示の実施形態に係る電子機器１は、いわゆるスマートフォンのような端末を含む。しかしながら、本開示の実施形態に係る電子機器１はスマートフォンに限定されるものではない。電子機器１は、例えばタブレット、パーソナルコンピュータなどであってもよい。
【００４９】
図７は、一実施形態に係る電子機器１の外観を示す平面図である。
【００５０】
電子機器１は、複層パネル１０を備える。複層パネル１０は、ソーラーパネル１１とディスプレイ１２とを含む。複層パネル１０は、タッチセンサ２２と、カバーパネル２３とを含んでもよい。
【００５１】
ソーラーパネル１１は、ディスプレイ１２と重なるように設けられている。このため、ディスプレイ１２の表示領域はソーラーパネル１１と重複している。ユーザは、ソーラーパネル１１を透かしてディスプレイ１２を視認できる。
【００５２】
上述したように、ディスプレイ１２は画像を表示する。ディスプレイ１２は、ＬＥＤなどの発光素子が発光することにより画像を表示する。当該発光は、ソーラーパネル１１に入射した後に、ソーラーパネル１１を透過し、人間の目に届く。
【００５３】
ディスプレイ１２の発光によりソーラーパネル１１に入射される光の入射角度は、その他の入射光と比較して一定であり、ソーラーパネル１１の内部構造によっては、ソーラーパネル１１を透過する光が互いに干渉しにくくなり得る。すなわち、ソーラーパネル１１を介して物体を視認する際、人は、ソーラーパネル１１に重ね合わせられたディスプレイ１２の発光を、ソーラーパネル１１の奥に存在する所定の物体の発光または反射光よりも明確に視認し得る。ソーラーパネル１１を透過する光を互いに干渉しにくくし得るソーラーパネル１１の内部構造としては、例えば、スリット構造があるが、これに限定されない。
【００５４】
図７に示すように、複層パネル１０の複層透明部位３００は、ディスプレイ１２が画像を表示可能な画面の中に含まれてよい。
【００５５】
タッチセンサ２２は、電子機器１への入力を受け付ける入力手段のうちの１つである。タッチセンサ２２は、ユーザの指、スタイラス等の接触を検出する。接触を検出する方法としては、例えば抵抗膜方式や静電容量方式などがあるが、任意の方式でよい。
【００５６】
タッチセンサ２２はディスプレイ１２と重なるように設けられている。このため、ディスプレイ１２の表示領域はタッチセンサ２２と重複している。タッチセンサ２２は、透明な材料で構成されてよい。ユーザは、タッチセンサ２２を透かしてディスプレイ１２を視認できる。ディスプレイ１２とタッチセンサ２２とは、並べて配置されてもよいし、離して配置されてもよい。
【００５７】
カバーパネル２３は、ソーラーパネル１１、ディスプレイ１２、タッチセンサ２２等を保護または固定する。カバーパネル２３は、ガラスなどの透明な材料で構成されてよい。
【００５８】
カバーパネル２３はディスプレイ１２と重なるように設けられている。このため、ディスプレイ１２の表示領域はカバーパネル２３と重複している。ユーザは、カバーパネル２３を透かしてディスプレイ１２を視認できる。
【００５９】
図８は、一実施形態に係る電子機器１の構造を説明するための斜視図である。
【００６０】
図８に示すように、一実施形態に係る電子機器１は、ソーラーパネル１１と、ディスプレイ１２と、筐体２１と、タッチセンサ２２と、カバーパネル２３とで構成される。
【００６１】
ソーラーパネル１１は、図８における上面に、第１面を有する。ソーラーパネル１１は、図８における下面に、第２面を有する。
【００６２】
ディスプレイ１２は、図８における上面に、第１面を有する。ディスプレイ１２は、図８における下面に、第２面を有する。
【００６３】
タッチセンサ２２は、図８における上面に、第１面を有する。タッチセンサ２２は、図８における下面に、第２面を有する。
【００６４】
電子機器１は、筐体２１と、ソーラーパネル１１とディスプレイ１２と、タッチセンサ２２と、カバーパネル２３とが重なり合うことで構成される。筐体２１には、ディスプレイ１２の第２面が重なり合う。ディスプレイ１２の第１面には、ソーラーパネル１１の第２面が重なり合う。ソーラーパネル１１の第１面には、タッチセンサ２２の第２面が重なり合う。タッチセンサ２２の第１面には、カバーパネル２３が重なり合う。
【００６５】
ソーラーパネル１１と、ディスプレイ１２と、タッチセンサ２２とが重なり合う順番は、図８に示す順番に限定されない。また、複層パネル１０は、ディスプレイ１２、ソーラーパネル１１、タッチセンサ２２、カバーパネル２３以外のパネルを含んでもよい。当該パネルは、ソーラーパネル１１とディスプレイ１２との間に介在してもよい。
【００６６】
ソーラーパネル１１とディスプレイ１２とタッチセンサ２２との内の少なくとも２つは、平面視における形状または面積が同一であってもよいし、異なってもよい。
【００６７】
図８に示すように、カバーパネル２３は、周縁部が不透明であってもよい。例えば、カバーパネル２３の周縁部には、不透明な薄膜が印刷されてもよい。また、カバーパネル２３は、平面視において、ディスプレイ１２、ソーラーパネル１１、およびタッチセンサ２２よりも大きな面積を有してよい。この時、カバーパネル２３の周縁部は筐体２１と重なり合ってよい。カバーパネル２３の平面視における形状または面積は、筐体２１の平面視における形状または面積と同一であってもよいし、異なってもよい。
【００６８】
平面視において、ソーラーパネル１１とカバーパネル２３の不透明な周縁部、およびディスプレイ１２とカバーパネル２３の不透明な周縁部とは重なり合ってもよい。この場合、透明部位１００は、カバーパネル２３と重なり合う部分のソーラーパネル１１に設けられてよい。また、ディスプレイ１２のマーク２００は、カバーパネル２３と重なり合う部分のディスプレイ１２に設けられてよい。このように配置された透明部位１００およびマーク２００は、カバーパネル２３の周縁部が不透明であるため、最終的にユーザからは見えなくなる。よって、透明部位１００またはマーク２００の存在によって電子機器１の外観を損ねることを防ぐことができる。
【００６９】
図９は、一実施形態に係る電子機器１の機能構成を示すブロック図である。
【００７０】
図９に示すように、一実施形態に係る電子機器１は、ソーラーセル１１ａと保護部材１１ｂとを含むソーラーパネル１１と、ディスプレイ１２と、タッチセンサ２２と、受電部３１と、電源制御部３２と、バッテリー３３と、マイク３４と、スピーカ３５と、センサ３６と、コントローラ３７とを備える。
【００７１】
ソーラーパネル１１に含まれるソーラーセル１１ａは、受光することによって発電した電力を、電源制御部３２に送る。
【００７２】
ソーラーパネル１１は、変換回路を含んでもよい。変換回路は、ソーラーセル１１ａから受け取った電力を、バッテリー３３が蓄電可能な電圧に変換してよい。また、変換回路は、ソーラーセル１１ａから受け取った電力を、コントローラ３７やその他の各構成部が利用可能な電圧に変換してよい。変換回路は、変換した電力を、電源制御部３２へ供給してよい。変換回路は、ＤＣ／ＤＣコンバータを含んでよい。
【００７３】
ディスプレイ１２は、コントローラ３７から入力された信号に基づいて、画像を表示する。
【００７４】
タッチセンサ２２は、指などによる接触操作を検出し、検出された接触操作に対応する信号をコントローラ３７に入力する。
【００７５】
受電部３１は、受け取った電力を、電源制御部３２に送る。一実施形態において、受電部３１は、外部のコネクタを介して、外部の電源から有線で電力を受け取ってもよい。他の実施形態において、受電部３１は、電磁誘導方式や磁界共鳴（共振）方式などの任意の方式によって、外部の電源からワイヤレス（非接触）で電力を受け取るように構成されてもよい。受電部３１は、外部の電源から受け取った電力を、バッテリー３３が蓄電可能な電圧に変換してよい。また、受電部３１は、外部の電源から受け取った電力を、コントローラ３７やその他の各構成部が利用可能な電圧に変換してよい。
【００７６】
電源制御部３２は、ソーラーパネル１１、受電部３１、バッテリー３３と電気的に接続される。電源制御部３２は、ソーラーパネル１１、受電部３１から得られた電力をバッテリー３３に充電してよい。電源制御部３２は、バッテリー３３から受け取った電力を、コントローラ３７やその他の各構成部が必要とする大きさの電圧に変換してよい。電源制御部３２は、ソーラーパネル１１、受電部３１、バッテリー３３から受け取った電力を、コントローラ３７やその他の各構成部に供給してよい。
【００７７】
バッテリー３３は、電源制御部３２を介して、ソーラーパネル１１または受電部３１から受け取った電力を充電する。バッテリー３３は、電源制御部３２の制御に基づいて、充電された電力を電源制御部３２へ供給する。バッテリー３３は、二次電池であり、例えばリチウムイオン電池を含んでもよい。
【００７８】
マイク３４は、電子機器１への入力を受け付ける入力手段のうちの１つである。マイク３４は、周囲の音声を集音する。マイク３４は、入力を受け付けた音声に対応する信号をコントローラ２６に入力する。マイク３４は、電子機器１の表面に露出してもよい。
【００７９】
スピーカ３５は、電子機器１から出力を行う出力手段の１つである。スピーカ３５は、電話の音声や各種プログラムの情報等を音声で出力する。スピーカ３５は、コントローラ２６から入力された信号に基づいて、音声を出力する。スピーカ３５は、電子機器１の表面に露出してもよい。
【００８０】
センサ３６は、電子機器１の状態を検出し、検出結果をコントローラ３７に入力する。一実施形態において、センサ３６は、例えば光センサであってもよい。光センサは、電子機器１に照射される光量を測定することで、電子機器１の周囲の明るさを検出する。光センサは、受光面が露出するように電子機器１に備えられてよい。光センサは、例えば、光が照射されることにより光電陰極から電子が飛び出す仕組みを利用した電子光電管または光電子増倍管などの電子管や、光起電力効果を利用したフォトダイオードなどであってよいが、これらに限定されない。
【００８１】
コントローラ３７は、電子機器１全体の動作を制御する。コントローラ３７は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。
【００８２】
コントローラ３７は、タッチセンサ２２が検出した接触操作等に応じて入力される信号に基づいて、電子機器１の機能の実行や設定の変更などの各種制御を実行してよい。
【００８３】
コントローラ３７は、ディスプレイ１２を発光させることにより、ディスプレイ１２に、文字、写真、記号、図形等の画像を表示してよい。
【００８４】
図１０を参照して、その他の実施形態に係る電子機器について説明する。以下に説明する表示機器２は、屋外・店頭・公共空間・交通機関などで、情報を発信する表示機器である。このような表示機器は、デジタルサイネージと呼ばれることもある。
【００８５】
表示機器２の複層パネル１０に含まれるソーラーパネル１１は、屋内の光を利用することで、屋内でも利用することができる。その際には、ソーラーパネル１１は、紫外領域の波長の光に対して発電効率または少ない光量下での発電効率が高い材料で構成されてよい。紫外領域の波長の光に対して発電効率または少ない光量下での発電効率が高い材料としては、例えば、アモルファス（非晶質）シリコンがあるが、これに限定されない。
【００８６】
図１１−図１５を参照して、複層パネル１０に表示される、文字、写真、記号、図形等の画像処理の例について説明する。
【００８７】
図１１は、図７で示した電子機器１の特定部位５００に表示される画像の第１の例を示す図である。
【００８８】
コントローラ３７は、ディスプレイ１２を発光させる際、ディスプレイ１２の各画素の発光色および発光量を制御してよい。
【００８９】
図１１において、特定部位５００に含まれるディスプレイ１２は、単色の光を発している。この時、コントローラ３７は、複層透明部位３００に含まれるディスプレイ１２を、周辺部位４００に含まれるディスプレイ１２よりも低い輝度または明度で発光させてもよい。言い換えると、コントローラ３７は、ディスプレイ１２の、透明部位１００と重なり合う第１領域を、当該第１領域の周辺であって透明部位１００と重なり合わない第２領域よりも低い輝度または明度で発光させてもよい。本開示にて、明度とは、発光の色の明るさの度合いを示す。輝度とは、光源の単位面積あたりの明るさを指す。例えば、ディスプレイ１２の発光素子の発光の量が少なくなると、輝度は小さくなる。また、例えば、ディスプレイ１２にバックライトが用いられる場合、各画素における光の透過量が少なくなると、輝度は小さくなる。
【００９０】
ソーラーパネル１１の透明部位１００は、ソーラーパネル１１の透明部位１００以外の部分よりも可視光の透過率が高いか、または吸収した光が内部で散乱しにくい。よって、通常、特定部位５００に含まれるディスプレイ１２全体が同じ輝度で発光すると、透明部位１００を介して人間の目に届く光の量は、周辺部位４００に含まれるソーラーパネル１１を介して人間の目に届く光の量よりも多くなる。すなわち、ユーザにとって、透明部位１００は周辺部位４００よりも明るく視え得る。
【００９１】
従って、コントローラ３７が、複層透明部位３００に含まれるディスプレイ１２（第１領域）を周辺部位４００に含まれるディスプレイ１２（第２領域）よりも低い輝度で発光させることにより、人にとって、特定部位５００全体、すなわち複層透明部位３００と周辺部位４００とは色および明るさが一様に視え得る。また、コントローラ３７が、複層透明部位３００に含まれるディスプレイ１２（第１領域）を周辺部位４００に含まれるディスプレイ１２（第２領域）よりも低い明度で発光させることにより、人にとって、特定部位５００全体、すなわち複層透明部位３００と周辺部位４００とは色および明るさが一様に視え得る。
【００９２】
コントローラ２６は、周辺部位４００に含まれるディスプレイ１２（第２領域）の発光色が時間とともに変化する場合、当該変化に合わせて複層透明部位３００に含まれるディスプレイ１２（第１領域）の発光の輝度または明度を制御してよい。すなわち、上記の画像処理は、周辺部位４００に表示される画像が時間とともに変化する場合、その変化に合わせて連続的に実行されてよい。これにより、周辺部位４００に表示される画像がアクティブに変化する場合においても、複層透明部位３００に表示される画像がユーザにとって周辺部位４００と異なる見栄えとなる可能性を軽減できる。
【００９３】
図１２−図１５は、特定部位５００に表示される画像の第２の例を示す図である。
【００９４】
図１２は、ディスプレイ１２が発光していない状態での特定部位５００を、ディスプレイ１２の画素（ピクセル）ごとに区切って示す図である。特定部位５００には、９×９＝８１個の発光素子が含まれる。
【００９５】
図１２に示すように、複層透明部位３００は、合計９個の画素を含む。ソーラーパネル１１の透明部位１００の面積は、高い精度でソーラーパネル１１とディスプレイ１２とを重ね合わせることを可能にする範囲で任意で決定される。よって、複層透明部位３００に含まれる画素の数は限定されず、任意の数であってよい。
【００９６】
周辺部位４００には、透明部位１００に含まれる画素を取り囲むようにして（９×９−３×３）＝７２個の画素が並ぶ。上述したように、特定部位５００の面積は任意の大きさであるため、周辺部位４００に含まれる画素の数も任意の数であってよい。
【００９７】
図１３−図１５では、特定部位５００の左上の頂点から右下の頂点に伸びる対角線を境に、特定部位５００を第１発光色と第２発光色とで発光させたい場合の例についての画像処理について説明する。
【００９８】
図１３は、ディスプレイ１２が発光している状態での特定部位５００を、ディスプレイ１２の画素ごとに区切って示す図である。
【００９９】
図１４は、図１３において、ディスプレイ１２の画素ごとの区切り、複層透明部位３００の位置を示す枠線、および符号を非表示にした図である。
【０１００】
図１５は、図１３の複層透明部位３００を拡大した図である。
【０１０１】
図１３において、周辺部位４００に含まれるディスプレイ１２（第２領域）は、２色の光を発している。周辺部位４００の左上の頂点から右下の頂点に伸びる対角線を境に、複層透明部位３００を除いた図１３における左部分が第１周辺部位４００ａであり、複層透明部位３００を除いた図１１における右部分が第２周辺部位４００ｂである。対角線上に位置する画素は、第１周辺部位４００ａに含まれる。第１周辺部位４００ａに含まれるディスプレイ１２は、第１発光色で発光する。第２周辺部位４００ｂに含まれるディスプレイ１２は、第２発光色で発光する。発光色は２色に限られず、周辺部位４００に含まれるディスプレイ１２（第２領域）は、３色以上の複数色で発光してもよい。
【０１０２】
コントローラ３７は、複層透明部位３００に含まれるディスプレイ１２（第１領域）を、第１発光色と第２発光色との合成色で発光させてもよい。言い換えると、コントローラ３７は、周辺部位４００に含まれるディスプレイ１２（第２領域）内の領域を、複数領域に分けて複数色で発光させる場合には、複層透明部位３００に含まれるディスプレイ１２（第１領域）を、当該複数色のうちの少なくとも２つの色の合成色で発光させてよい。
【０１０３】
合成色について例を挙げて詳細に説明する。例えば、所定の色は、光の三原色（赤、緑、青）に分解した３つの要素とそれぞれの要素の明度とによって、カラーコードとして表現できる。例えば、最小の明度を０、最大の明度を１としたとき、明度最大の純粋な赤色は（Ｒｅｄ，Ｇｒｅｅｎ，Ｂｌｕｅ）表記で（１，０，０）と表現できる（以下、ＲＧＢ（１，０，０）のように記す）。また、明度最大の純粋な緑色は、ＲＧＢ（０，１，０）と表現できる。明度は最大とし、要素のみに基づいて赤色と緑色とを１対１で合成する場合、コントローラ３７は、３つの要素それぞれについて、２つの値の合計を算出すればよく、ＲＧＢ（１，１，０）となる。ＲＧＢ（１，１，０）で表現される色は、黄色である。また、純粋な白色は、全ての要素の明度が最大であり、ＲＧＢ（１，１，１）と表現できる。純粋な黒色は、全ての要素の明度が最小であり、ＲＧＢ（０，０，０）と表現できる。色の明度のみに基づいて純粋な白色と純粋な黒色とを１対１で合成する場合、コントローラ３７は、３つの要素それぞれについて、２つの値の中間の値を算出すればよく、ＲＧＢ（０．５，０．５，０．５）となる。ＲＧＢ（０．５，０．５，０．５）で表現される色は、グレーである。本開示において、合成色とは、３つの要素の合成と要素の明度の合成とを適宜組合せて算出した色であってよい。また、カラーコードはＲＧＢ表記に限られず、Ｈｅｘ（Ｈｅｘａｄｅｃｉｍａｌ  ｎｕｍｂｅｒ）表記など、種々のものが存在するため、色の合成についても、カラーコードに合わせた種々の方法が採用されてよい。なお、本開示において、合成色とは、合成される少なくとも１つの色の要素または明度を全く含まない色を含む。
【０１０４】
特定部位５００に表示される画像の第２の例の画像処理について、より具体的に説明する。図１３において、第１発光色は純粋な黒色であり、ＲＧＢ（０，０，０）と表現できるとする。また、第２発光色を、純粋な白色であり、ＲＧＢ（１，１，１）と表現できるとする。図１３においては、要素の明度のみに基づいて色の合成が行われるとする。図１５に示すように、複層透明部位３００は、第１複層透明部位３００ａ−第９複層透明部位３００ｉまでの９個の画素を含む。
【０１０５】
第１複層透明部位３００ａ、第５複層透明部位３００ｅ、第９複層透明部位３００ｉの画像処理について説明する。
【０１０６】
コントローラ３７は、第１複層透明部位３００ａが、第２複層透明部位３００ｂ、ｃ、ｄ、ｆ、ｈ、ｇよりも、すなわち、最も第１周辺部位４００ａと第２周辺部位４００ｂとの中間に近い位置に位置するため、第１複層透明部位３００ａに含まれるディスプレイ１２の発光色を、第１発光色のＲＧＢ（０，０，０）と第２発光の色ＲＧＢ（１，１，１）との中間の明度であるＲＧＢ（０．５，０．５，０．５）に制御する。
【０１０７】
コントローラ３７は、同様に、第５複層透明部位３００ｅが、最も第１周辺部位４００ａと第２周辺部位４００ｂとの中間に近い位置に位置するため、第５複層透明部位３００ｅに含まれるディスプレイ１２の発光色を、ＲＧＢ（０．５，０．５，０．５）に制御する。
【０１０８】
コントローラ３７は、同様に、第９複層透明部位３００ｉが、最も第１周辺部位４００ａと第２周辺部位４００ｂとの中間に近い位置に位置するため、第９複層透明部位３００ｉに含まれるディスプレイ１２の発光色を、ＲＧＢ（０．５，０．５，０．５）に制御する。
【０１０９】
第２複層透明部位３００ｂおよび第６複層透明部位３００ｆの画像処理について説明する。
【０１１０】
コントローラ３７は、第２複層透明部位３００ｂが、第３複層透明部位３００ｃに次いで第１周辺部位４００ａの近くに位置するため、第２複層透明部位３００ｂに含まれる発光色を、第１発光色のＲＧＢ（０，０，０）と第２発光の色ＲＧＢ（１，１，１）との中間の明度よりも第１発光色の明度に近い明度であるＲＧＢ（０．２５，０．２５，０．２５）に制御する。
【０１１１】
コントローラ３７は、同様に、第６複層透明部位３００ｆが、第３複層透明部位３００ｃに次いで第１周辺部位４００ａの近くに位置するため、第６複層透明部位３００ｆに含まれるディスプレイ１２の発光色を、ＲＧＢ（０．２５，０．２５，０．２５）に制御する。
【０１１２】
第４複層透明部位３００ｄおよび第８複層透明部位３００ｈの画像処理について説明する。
【０１１３】
コントローラ３７は、第４複層透明部位３００ｄが、第７複層透明部位３００ｇに次いで第２周辺部位４００ｂの近くに位置するため、第４複層透明部位３００ｄに含まれるディスプレイ１２の発光色を、第１発光色のＲＧＢ（０，０，０）と第２発光の色ＲＧＢ（１，１，１）との中間の明度よりも第２発光色の明度に近い明度であるＲＧＢ（０．７５，０．７５，０．７５）に制御する。
【０１１４】
コントローラ３７は、同様に、第８複層透明部位３００ｈが、第７複層透明部位３００ｇに次いで第２周辺部位４００ｂの近くに位置するため、第８複層透明部位３００ｈに含まれるディスプレイ１２の発光色を、ＲＧＢ（０．７５，０．７５，０．７５）に制御する。
【０１１５】
第３複層透明部位３００ｃの画像処理にについて説明する。
【０１１６】
コントローラ３７は、第３複層透明部位３００ｃが、第１周辺部位４００ａの最も近くに位置するため、第３複層透明部位３００ｃに含まれるディスプレイ１２の発光色を、ＲＧＢ（０，０，０）に制御する。
【０１１７】
第７複層透明部位３００ｇの画像処理について説明する。
【０１１８】
コントローラ３７は、第７複層透明部位３００ｇが、第２周辺部位４００ｂの最も近くに位置するため、第７複層透明部位３００ｇに含まれるディスプレイ１２の発光色を、ＲＧＢ（１，１，１）に制御する。
【０１１９】
このように、コントローラ３７は、第２周辺部位４００ｂよりも第１周辺部位４００ａの近くに位置する、複層透明部位３００に含まれるディスプレイ１２（第１領域）の少なくとも１つの画素を、第２周辺部位４００ｂよりも第１周辺部位４００ａに含まれるディスプレイ１２の発光色に近い合成色で発光させてよい。また、コントローラ３７は、第１周辺部位４００ａよりも第２周辺部位４００ｂの近くに位置する、複層透明部位３００に含まれるディスプレイ１２（第１領域）の少なくとも１つの画素を、第１周辺部位４００ａよりも第２周辺部位４００ｂに含まれるディスプレイ１２の発光色に近い合成色で発光させてよい。
【０１２０】
第１発光色に発光する第１周辺部位４００ａに含まれるディスプレイ１２は、ディスプレイ１２の第３領域という。また、第２発光色に発光する第２周辺部位４００ｂに含まれるディスプレイ１２は、ディスプレイ１２の第４領域という。上述のように、周辺部位４００全体に含まれるディスプレイ１２はディスプレイ１２の第２領域である。つまり、ディスプレイ１２の第２領域は、ディスプレイ１２の第３領域および第４領域を含む。すなわち、コントローラ３７は、第４領域よりも第３領域の近くに位置する、第１領域の少なくとも１つの第１画素を、第４領域よりも第３領域の発光色に近い第１合成色で発光させてよい。また、コントローラ３７は、ディスプレイ１２の第３領域よりも第４領域の近くに位置する、第１領域の少なくとも１つの第２画素を、第３領域よりも第４領域の発光色に近い第２合成色で発光させてよい。
【０１２１】
また、コントローラ３７は、第１画素と第２画素との間に位置する画素を、第１合成色と第２合成色との中間かつ段階的に変化する色で発光させてよい。すなわち、図１３−図１５のように、複層透明部位３００は、第１発光色と第２発光色とのグラデーションで色が表示されてよい。なお、上述のように、周辺部位４００に含まれるディスプレイ１２（第２領域）は、３色以上の複数色で発光してもよい。その場合、複層透明部位３００は、３色以上のグラデーションで色が表示されてよい。
【０１２２】
上述したように、ソーラーパネル１１の透明部位１００は、ソーラーパネル１１の透明部位１００以外の部分よりも可視光の透過率が高いか、または吸収した光が内部で散乱しにくい。よって、透明部位１００を介して人間の目に届く光は、周辺部位４００に含まれるソーラーパネル１１を介して人間の目に届く光よりも明瞭になり得る。ここで、複層透明部位３００がグラデーション表示されれば、ユーザにとって、複層透明部位３００と周辺部位４００との境界線は曖昧に視え得る。ひいては、周辺部位４００に含まれるディスプレイ１２（第２領域）の表示が明瞭でない場合に、複層透明部位３００に表示される画像がユーザにとって周辺部位４００と異なる見栄えとなる可能性を軽減できる。言い換えると、ユーザは、一様な材料からなるソーラーパネル１１とディスプレイ１２とを重ね合わせている場合と同じように複層パネル１０に表示される画像を視認し得る。
【０１２３】
なお、本開示において、第２周辺部位４００ｂに含まれるディスプレイ１２（第４領域）よりも第１周辺部位４００ａに含まれるディスプレイ１２（第３領域）の発光色に近い第１合成色は、第３領域の発光色そのものを含む。同様に、第１周辺部位４００ａに含まれるディスプレイ１２（第３領域）よりも第２周辺部位４００ｂに含まれるディスプレイ１２（第４領域）の発光色に近い第２合成色は、第４領域の発光色そのものを含む。また、第１画素と第２画素との間に位置する画素とは、一実施形態において、第１画素の頂点と該頂点に最も近い第２画素の頂点とを含む互いに平行な２本の線の間に含まれる画素であってよい。他の実施形態において、第１画素と第２画素との間に位置する画素とは、第１画素の面と該面に最も近い第２画素の面とを含む互いに平行な２本の線の間に含まれる画素であってよい。他の実施形態において、第１画素と第２画素との間に位置する画素とは、第１画素および第２画素と少なくとも１辺を共有する画素であってよい。
【０１２４】
複層透明部位３００が含む各画素の第１周辺部位４００ａおよび第２周辺部位４００ｂに対する位置関係は、種々の方法によって算出されてよい。一実施形態において、当該位置関係は、コントローラ３７が、複層透明部位３００が含む各画素と、第１周辺部位４００ａまたは第２周辺部位４００ｂの所定の画素との間にいくつの画素が存在するかを判定することによって算出されてよい。また、一実施形態において、当該位置関係は、コントローラ３７が、複層透明部位３００が含む各画素の各辺または各頂点に接する画素の発光色を判断することによって算出されてよい。この時、少なくとも２つの、該各辺に接している画素の発光色に基づいて位置関係が算出されてよい。また、一実施形態において、当該位置関係は、コントローラ３７が、複層透明部位３００が含む各画素の各辺または各頂点について、本来第１発光色で発光させたい画素と本来第２発光色で発光させたい画素とのどちらの画素と接しているのかを判断することによって算出されてよい。この時、第１発光色で発光させたい画素と接する辺または頂点が多いほど、合成色は第１発光色に近い合成色となってよい。
【０１２５】
図１３−図１５では、コントローラ３７は、複層透明部位３００に含まれるディスプレイ１２（第１領域）を複数の合成色で発光させたが、これに限られない。コントローラ３７は、複層透明部位３００に含まれるディスプレイ１２（第１領域）を、単一の合成色で発光させてもよい。これによれば、複層透明部位３００に表示される画像がユーザにとって周辺部位４００と異なる見栄えとなる可能性を軽減できつつ、画像処理の負担は最小限に止めることができる。
【０１２６】
複層パネル１０に表示される、文字、写真、記号、図形等の画像処理のその他の実施形態として、コントローラ３７は、複層透明部位３００を常に黒色表示してもよい。これにより、複層透明部位３００の表示が明るいために周辺部位４００に比べて目立つことを抑えることができる。
【０１２７】
以上、添付の請求項に係る技術を完全かつ明瞭に開示するために特徴的な実施形態に関し記載してきた。しかし、添付の請求項は上記実施形態に限定されるべきものではなく、本明細書に示した基礎的事項の範囲内で、当該技術分野の当業者が創作しうる全ての変形例および代替可能な構成を具現化するように構成されるべきである。
【符号の説明】
【０１２８】
１  電子機器
２  表示機器
１０  複層パネル
１１  ソーラーパネル
１１ａ  ソーラーセル
１１ｂ  保護部材
１２  ディスプレイ
２１  筐体
２２  タッチセンサ
２３  カバーパネル
３１  受電部
３２  電源制御部
３３  バッテリー
３４  マイク
３５  スピーカ
３６  センサ
３７  コントローラ
１００  透明部位
２００  マーク
３００  複層透明部位
４００  周辺部位
５００  特定部位
４００ａ  第１周辺部位
４００ｂ  第２周辺部位
３００ａ  第１複層透明部位
３００ｂ  第２複層透明部位
３００ｃ  第３複層透明部位
３００ｄ  第４複層透明部位
３００ｅ  第５複層透明部位
３００ｆ  第６複層透明部位
３００ｇ  第７複層透明部位
３００ｈ  第８複層透明部位
３００ｉ  第９複層透明部位
【図１】
2019028219.tif 000003
【図２】
2019028219.tif 000004
【図３Ａ】
2019028219.tif 000005
【図３Ｂ】
2019028219.tif 000006
【図３Ｃ】
2019028219.tif 000007
【図４】
2019028219.tif 000008
【図５】
2019028219.tif 000009
【図６】
2019028219.tif 000010
【図７】
2019028219.tif 000011
【図８】
2019028219.tif 000012
【図９】
2019028219.tif 000013
【図１０】
2019028219.tif 000014
【図１１】
2019028219.tif 000015
【図１２】
2019028219.tif 000016
【図１３】
2019028219.tif 000017
【図１４】
2019028219.tif 000018
【図１５】
2019028219.tif 000019